(57)【特許請求の範囲】
【請求項１】
互いに平行に配列される天井仕上材間に互いに同一の外形寸法を有する複数の箱形天井パネルを互いに近接して配置させるようにした天井に用いられる点検口パネル構造であって、
表面が前記天井パネルと同一の外形寸法を有する箱形の点検口パネルと、
該点検口パネルの一側部の裏面に設けられた回転機構にして、該回転機構の回転軸線を中心に前記点検口パネルが前記天井パネルと面一となる閉位置と前記一側部を上にして垂下した状態となる開位置との間を回転可能となるようにした回転機構と、
前記点検口パネルを前記閉位置に保持するための係止機構と、
を備えた点検口パネル構造において、
前記回転機構が、前記点検口パネルの前記一側部の裏面下部に取り付けられた軸受部材にして、該一側部に沿った孔を有する軸受部材と、内端が前記軸受部材の前記孔内に延びて該軸受部材に対して相対回転可能となるようにするとともに、外端がその上方で前記天井仕上材の上面に載置して支持されるようになされた軸部材と、を備えており、
前記係止機構が、前記天井仕上材に設けられた係止部と、前記点検口パネルの表面側から操作可能なように該点検口パネルに設けられ、前記係止部と解放可能に係合する可動部材と、を備えている、
点検口パネル構造。
【請求項２】
請求項１に記載の点検口パネル構造において、
前記軸部材が、前記内端から前記点検口パネルの前記一側部に対向する側部に向けて曲げられ、続いて上方に曲げられ、さらに前記内端と平行となるように前記点検口パネルの外方に向けて曲げられて前記外端を形成していること、を特徴とする点検口パネル構造。
【請求項３】
請求項１または２に記載の点検口パネル構造において、
前記軸部材の前記内端が、前記軸受部材の前記孔内を軸方向に摺動可能であり、それによって前記軸部材は、前記外端が前記点検口パネルの長辺寸法の範囲内に納まるところの後退位置と、前記外端が前記天井仕上材の上面を越えて延び、点検口パネルを該天井仕上材の上面に載置し得るところの突出位置とを選択的にとることができるようになされていること、を特徴とする点検口パネル構造。
【請求項４】
請求項１ないし３のいずれか１項に記載の点検口パネル構造において、
箱形の前記点検口パネルの前記一側部におけるパネル立ち上げ部分が、前記軸部材の前記内端より外方の部分に対向する箇所で回転に干渉しない高さに定められていること、を特徴とする点検口パネル構造。
【請求項５】
請求項１ないし４のいずれか１項に記載の点検口パネル構造において、
前記係止部が、前記天井仕上材に設けられたナットを有しており、前記可動部材が、前記点検口パネルに回転可能に設けられて前記ナットと螺合可能なボルトを有していること、を特徴とする点検口パネル構造。
【請求項６】
請求項１ないし４のいずれか１項に記載の点検口パネル構造において、
前記係止部が、前記天井仕上材の上面であり、前記可動部材が、前記点検口パネルに回転可能に設けられて前記天井仕上材の前記上面と係合可能な舌状部材を有していること、を特徴とする点検口パネル構造。
【発明の詳細な説明】
【０００１】
【発明の属する技術分野】
本発明は、天井に設けられる点検口パネルの構造に関する。
【０００２】
【従来の技術】
互いに平行に配列される天井仕上材間に互いに同一の外形寸法を有する複数の天井パネルを設けることにより、天井を形成することは知られている。デザイン上、天井仕上材が表面に現れることが好ましくない場合には、これら複数の天井パネルを互いに近接して配置させ且つ該天井仕上材に懸垂支持させることにより、天井パネルが天井仕上材を覆い隠すようにする。また、剛性も高く、中に断熱材を収容することができることから、天井パネルとして箱形のものが用いられることがある。
【０００３】
このようにして形成された天井に点検口を設ける場合、点検口パネルはその表面が天井パネルと同一の外形寸法を有することが外観上好ましい。その一方で、与えられた天井パネル一枚の大きさでは不十分な場合には、より大きな開口部を有する点検口とすることが望まれる。
【０００４】
また、点検口は、天井裏および室内の設備配置などの条件により、最適な位置を選択して設けることが便利である。したがってまた、これらの条件の変化により、点検口の設置位置を容易に変更できるとさらに都合がよい。
【０００５】
操作上の面からみれば、点検口パネルは、開閉が容易かつ確実で、しかも安全に行われることが必要である。
【０００６】
しかしながら、従来の点検口の構造は、このような要求を十分に満たすものではなかった。例えば実開昭４８−４１０２０号公報および特公平４−７４２０号公報に記載の点検口は、天井パネルを所望の大きさに切り取って開口部を形成し、該開口部内に点検口パネルを嵌め込み、該点検口パネルの一側部の両端付近を、天井パネルの開口部の内周縁部に枢着して、点検口パネルを開閉できるようにしたものであるが、点検口の設置位置は固定的であり、開口部を選択的に拡大することもできない。
【０００７】
実開昭５４−８４１２７号公報および特開平６−２４０８０８号に記載の点検口における点検口パネルは、一側部に横方向に延びる突起を有している。点検口パネルに隣接する天井パネルの対向側部には、該突起が挿入されるスリットが形成されている。点検口パネルを開けるとき、点検口パネルは、まず突起をスリットから引き出す方向へと動かされる。突起の先端に形成されたフック部がスリットに係止され、点検口パネルは次に該フック部を支点として下方に回動される。このような突起およびスリットの構成と点検口パネル開閉時における２段階操作とは、厚みのある箱形の点検口パネルを、近接して配置された箱形天井パネルに干渉することなく、下方に回動させることを可能にする。しかしながら、突起とスリットとが不正に引っ掛かってしまわないよう、スムーズな作業を確実に行うためには、複数の作業員が必要とされよう。さらに、点検口パネルに隣接するパネルには必ずスリットを形成しておく必要があるので、点検口の配置場所も限られた位置になってしまう。点検口をどこにでも配置できるようにするには、すべての天井パネルにスリットを開設しておかなければならず、過剰仕様となりコスト高を招く。
【０００８】
【発明が解決しようとする課題】
そこで、本発明が解決しようとする課題は、互いに平行に配列される天井仕上材間に互いに同一の外形寸法を有する複数の箱形天井パネルを互いに近接して配置させるようにした天井に用いられる点検口パネル構造において、所望の位置に設置することができ、また設置位置の変更も容易であり、より広い開口部を選択的に確保することが可能で、点検口パネルの開閉が容易かつ確実で安全に行うことができる点検口パネル構造を提供することにある。
【０００９】
【課題を解決するための手段】
上記課題を解決するため、本発明によれば、
互いに平行に配列される天井仕上材間に互いに同一の外形寸法を有する複数の箱形天井パネルを互いに近接して配置させるようにした天井に用いられる点検口パネル構造であって、
表面が前記天井パネルと同一の外形寸法を有する箱形の点検口パネルと、
該点検口パネルの一側部の裏面に設けられた回転機構にして、該回転機構の回転軸線を中心に前記点検口パネルが前記天井パネルと面一となる閉位置と前記一側部を上にして垂下した状態となる開位置との間を回転可能となるようにした回転機構と、
前記点検口パネルを前記閉位置に保持するための係止機構と、
を備えた点検口パネル構造において、
前記回転機構が、前記点検口パネルの前記一側部の裏面下部に取り付けられた軸受部材にして、該一側部に沿った孔を有する軸受部材と、内端が前記軸受部材の前記孔内に延びて該軸受部材に対して相対回転可能となるようにするとともに、外端がその上方で前記天井仕上材の上面に載置して支持されるようになされた軸部材と、を備えており、
前記係止機構が、前記天井仕上材に設けられた係止部と、前記点検口パネルの表面側から操作可能なように該点検口パネルに設けられ、前記係止部と解放可能に係合する可動部材と、を備えている、
点検口パネル構造が提供される。
【００１０】
前記軸部材は、前記内端から前記点検口パネルの前記一側部に対向する側部に向けて曲げられ、続いて上方に曲げられ、さらに前記内端と平行となるように前記点検口パネルの外方に向けて曲げられて前記外端を形成する形態とすることができる。
【００１１】
前記軸部材の前記内端を、前記軸受部材の前記孔内を軸方向に摺動可能とし、それによって前記軸部材が、前記外端が前記点検口パネルの長辺寸法の範囲内に納まるところの後退位置と、前記外端が前記天井仕上材の上面を越えて延び、点検口パネルを該天井仕上材の上面に載置し得るところの突出位置とを選択的にとることができるようにすることができる。
【００１２】
箱形の前記点検口パネルの前記一側部におけるパネル立ち上げ部分は、前記軸部材の前記内端より外方の部分に対向する箇所で回転に干渉しない高さに定めることができる。
【００１３】
前記係止部を、前記天井仕上材に設けられたナットを有するものとし、前記可動部材を、前記点検口パネルに回転可能に設けられて前記ナットと螺合可能なボルトを有するものとすることができる。
【００１４】
あるいはまた、前記係止部を、前記天井仕上材の上面とし、前記可動部材を、前記点検口パネルに回転可能に設けられて前記天井仕上材の前記上面と係合可能な舌状部材を有するものとすることができる。
【００１５】
【発明の実施の形態】
図１および図２に本発明の一実施例による点検口パネル構造を天井に設置した状態を示す。本発明の点検口パネル構造が設置される天井は、天井仕上材を覆うように互いに近接して配置された複数の箱形の天井パネル１により形成されている。個々の天井パネル１は、互いに同一の外形寸法を有しており、天井仕上材２に懸垂支持されている。天井パネル１は、互いに平行に配列される天井仕上材２間に複数枚配置されている。天井仕上材２は、天井スラブ（図示せず）から垂下される吊りボルト３に支持され且つ互いに平行に延びている天井下地材４の下方に取り付けられている。天井下地材４は、天井仕上材２と直交するように延び、天井仕上材２とともに格子状の天井材を構成している。天井仕上材２は、その横断面形状から、Ｊバーとも呼ばれる長尺材であって（勿論ＴバーとかＩバーの場合もある。）前述のように天井下地材に支持せしめられている。天井パネル１には、照明器具、空調用の空気吹き出し口、スピーカー等の設備を取り付けるための開口を有する設備パネル（図示せず）が含まれる。
【００１６】
点検口パネル５は、その表面が天井パネル１と同一の外形寸法を有する箱形のパネルである。箱形を形成する４辺の立ち上げ部分は、点検口パネルの剛性を高めることと、箱形内部に断熱材や防音材を納めることに役立つ。したがって、寸法上は、天井パネル１が設けられるいずれの位置にも点検口パネル５を設置することが可能である。また、２枚の点検口パネル５を互いに隣接させて対向配置することも可能である。点検口パネル５の一側部（図２で右側部）の裏面には回転機構６が設けられ、点検口パネル５が開き戸形式の開閉動作を行うことを可能にしている。図２に示すように、点検口パネル５は、閉位置にて、天井パネル１と面一となり、開位置にて、回転機構６を設けた一側部を上にして垂下した状態となる。
【００１７】
点検口パネル５は、係止機構７の作用により、閉位置に保持されることができる。係止機構７は、後述するように、天井仕上材２に設けられた係止部と、点検口パネル５の表面側から操作可能なように該点検口パネル５に設けられて上記係止部と解放可能に係合する可動部材とを備えている。
【００１８】
図３に示すように、回転機構６は、点検口パネル５の一側部の両端にそれぞれ設けられている。それぞれの回転機構６は、箱形の点検口パネル５の一側部の裏面下部に取り付けられた軸受部材８と、軸部材９とを備えている。軸受部材８は、点検口パネル５の上記一側部に沿って延びる孔１０を有しており、軸部材９の内端１１は該孔１０内に延びている。軸部材９の内端１１と軸受部材８の孔１０とは、相対回転可能な嵌合状態となっている。このようにして軸部材９の内端１１は、箱形の点検口パネル５の一側部の下部に、回転機構６の回転軸線を形成している。
【００１９】
図４に示すように、軸部材９は、棒状部材を互いに異なる３つの方向に９０度ずつ曲げた形状をしている。すなわち、下方に位置付けられた内端１１から、まず点検口パネル５の上記一側部に対向する側部に向けて９０度曲げられ、続いて上方に９０度曲げられ、さらに内端１１と平行となるように点検口パネル５の外方に向けて９０度曲げられて、外端１２が形成されている。このようにして軸部材９の外端１２は、天井仕上材２の上面に載置して支持させるために上方に位置づけられている。
【００２０】
軸部材９を軸受部材８に組み付ける際には、図５に示すように、軸部材９の内端１１を軸受部材８の孔１０に通した後、孔１０から突出した内端１１の端面に形成したネジ穴１３に止めネジ１４を螺合させる。止めネジ１４の頭部の径は孔１０の径よりも大きいので、止めネジ１４は、軸部材９の抜け止めとなる。一方、軸部材９の内端１１は、軸受部材８よりも長く形成されているので、止めネジ１４の頭部が軸受部材８の端面に当接している位置から軸部材９を点検口パネル５の内方へ向けて軸方向に摺動させることが可能である。この軸部材９の軸方向摺動により、軸部材９の外端１２を点検口パネル５の長辺寸法の範囲内に引き込めることができるので、後述するように、点検口パネル構造を天井の開口部内に設置する際に点検口パネル５を真下から開口部内へと嵌め込むことができる。
【００２１】
図３および図６から理解できるように、回転機構６が設けられた点検口パネル５の一側部の両端では、パネル立ち上げ部分１５が、軸部材９の内端１１より外方の部分に対向する箇所で高さが低くなっている。また、前述したように、軸部材９は内端１１から点検口パネル５の上記一側部に対向する側部に向けて９０度曲げられている。このように、パネル立ち上げ部分１５の高さを低くしたり、軸部材９を内方へ逃がしたりすることにより、箱形の点検口パネル５が軸部材９により形成された回転軸線のまわりを回転して図２に示すような十分に開いた開位置をとるときに、パネル立ち上げ部分１５と軸部材９とが互いに干渉しあわないようにすることができる。この立ち上げ部分の高さが回転を干渉しない程度に低いときは、この設定は不必要である。
【００２２】
図７に、軸部材９の外端１２を天井仕上材２に固定支持させる態様の一例を示す。この例の場合、天井仕上材２はアルミニウム材で作られている。（ａ）に示すように、外端１２にはＨ形をした軸端部支持部材１６が予め溶接され、軸部材９の天井仕上材側端部が形成される。該天井仕上側端部は、（ｂ）に示すように、天井仕上材２の上面に形成された溝１７内に挿通したボルト１８とナット１９とによって、天井仕上材２に固定支持される。ボルト１８を天井仕上材２の溝１７内に挿通させるときには、図８に示すように、ボルト１８の下端の横方向に延びる突起２０の長手方向を溝１７の上方狭幅開口２１の長手方向に整合させ、突起２０を溝１７内に挿入した後、ボルト１８を９０度回転させて突起２０が溝１７内から上方へと抜けないようにする。
【００２３】
図９には、天井パネル１に四方を囲まれた開口部内に点検口パネル５を設置する際の手法が示される。端部支持部材１６を外端１２に溶接された軸部材９は、点検口パネル５が設置される前の段階では、（ａ）に示すように外端１２が完全に点検口パネル５の領域内に納まるところの後退位置にある。かかる位置付けは、前述したように軸部材９を軸受部材８に対して軸方向内方に摺動させることにより可能となる。このように点検口パネル５の外周から突出した部材が無い状態にすることにより、回転機構６を備えた点検口パネル５を真下から持ち上げて開口部内へと嵌め込むことができる。その後、軸部材９を軸受部材８に対して軸方向外方に摺動させて突出位置とさせ、（ｂ）に示すように、軸部材９の外端１２を点検口パネル５の領域を越えて外方に延ばし、外端１２に取り付けられた軸端部支持部材１６を図７の手法で天井仕上材２に固定支持させる。
【００２４】
図１０および図１１に係止機構７の一例が示される。この例では、ビスによって天井仕上材２に固定されたパネル支持部材２２を介して天井仕上材２に取り付けられたナット２３が天井仕上材側の係止部となり、点検口パネル５に固定された設備プレート２４を介して点検口パネル５に回転可能に取り付けられたボルト２５が点検口パネル側の可動部材となる。ボルト２５には、抜け防止のための止め輪２６が嵌められている。ボルト２５の頭部２７は、点検口パネル５に形成された開口２８を通して外部から操作可能とされている。点検口パネル５を閉じてボルト２５を回転させ、対応する位置にあるナット２３に螺合させることにより、点検口パネル５を閉位置に保持させることができる。パネル支持部材２２は、点検口パネル５が隣接する天井パネル１と面一となる閉位置よりもさらに上方に移動することのないよう抑止する浮き上がり防止手段も兼ねている。点検口パネル５を開くには、ボルト２５を緩めてナット２３から外せばよい。そうすることにより、点検口パネル５は、軸部材９の内端１１により形成される回転軸線の回りを重力によって回転し、軸部材９に支持されるようにして下方に垂下する。
【００２５】
図１（ａ）に示すように、係止部としてのナット２３および可動部材としてのボルト２５を有する係止機構７は、回転機構６が設けられる点検口パネル５の一側部に対向する側部の両端付近に一対設けられる。
【００２６】
閉位置にある点検口パネル５は、回転機構６および係止機構７を介して天井仕上材２によって支持されることになる。
【００２７】
図１２には、点検口パネル５が回転するときの、回転機構６が設けられた一側部の位置関係が示されている。図中、ボルト２９およびナット３０は、軸受部材８を点検口パネル５の立ち上げ部分１５に固定するための手段である。前述したように、軸部材９の内端１１によって形成される回転軸線Ｐは箱形の点検口パネル５の一側部の下部に位置付けられているので、点検口パネル５と天井パネル１とが互いにある程度近接して配置されたとしても、点検口パネル５が回転するときに一側部の隅縁３１が隣の天井パネル１の対向する立ち上げ部分３２に干渉することを避けることができる。また、図１２中、Ｈは点検口パネル５の立ち上げ部分１５のうち図６で説明したように高さが低減された部分の高さを示すが、このように軸部材９を上方へ曲げる箇所で点検口パネル５の立ち上げ部分１５の高さを低くし、しかも軸部材９をいったん点検口パネル５の内方へと曲げて逃がすことにより、点検口パネル５を９０度以上の角度で開いても、立ち上げ部分１５と軸部材９とが互いに干渉しないようにすることができる。
【００２８】
図１３および図１４は、本発明による点検口パネル構造の第２の実施例を示す。図１ないし図１２に示した第１の実施例と異なる点は、回転機構６の軸部材９の天井仕上材側端部を天井仕上材に取り付ける手法、および、係止機構７の構成である。
【００２９】
第２実施例における軸部材９の内端１２には、図１５（ａ）に示すように、断面Ｌ字形の軸端部支持部材１６’が予め溶接され、軸部材９の天井仕上材側端部が形成される。該天井側端部は、軸端部支持部材１６’に形成された孔３３とそれに対応してスチール製の天井仕上材２’に形成された孔とを通して延びるビス３４によって、天井仕上材２’に固定支持される。
【００３０】
図１６ないし図１８は、第２実施例における係止機構７の構成を示す。第２実施例では、天井仕上材２’そのものの上面が天井仕上材側の係止部となり、点検口パネル５に固定された設備プレート３５を介して点検口パネル５に回転可能に取り付けられたパネルロック部材３６およびクランク状の舌状部材３７が点検口パネル側の可動部材となる。図１７に示すように、パネルロック部材３６の上端にはナット３８によって舌状部材３７が固着されており、パネルロック部材３６の下端には拡大端部３９が形成されている。
【００３１】
パネルロック部材３６の形態は図１８に示されている。不完全ネジ部４０の上方は全長にわたってネジが切られている。パネルロック部材３６は、設備プレート３５に形成された孔内を回転可能な遊嵌状態で挿通されており、両側を切り欠いた状態の上端部４１（切り欠いていない部分にはネジが切られている）は、舌状部材３７の内端に形成されたスロット４２を通ってナット３８と螺合し、該ナット３８との間に舌状部材３７の内端を挟持する。
【００３２】
パネルロック部材３６の拡大端部３９は、設備プレート３５の下方に位置付けられる点検口パネル５に形成された開口（図示せず）を通して外部から操作可能とされている。拡大端部３９を手または適当な器具で回すことにより、舌状部材３７を図１６に示すような天井仕上材２’上面と係合する係合位置と、係合解除位置との間で回動させることができる。このような回動を所定の約９０度の範囲に限定するため、設備プレート３５の上面には切り起こしによるストッパ４３が形成されている。また、舌状部材３７の外端中央部には、舌状部材３７を天井仕上材２’との係合から解放しようとする動きに抵抗する働きをする下方変形部４４が形成されている。
【００３３】
第２実施例における係止機構７もまた、図１３（ａ）に示すように、回転機構６が設けられる点検口パネル５の一側部に対向する側部の両端付近に一対設けられる。
【００３４】
図１６および図１７における係止機構７は係止状態にある。したがって、点検口パネル５は閉位置にあり、可動部材の一部である舌状部材３７は係止部である天井仕上材２’の上面に係合している。この状態の点検口パネル５は、回転機構６および係止機構７を介して天井仕上材２’によって支持されることになる。したがって、舌状部材３７は点検口パネルの部分荷重の力をもって天井仕上材２’上に押し付けられていることになるので、前述した下方変形部４４が形成されていることも併せて考慮すると、舌状部材３７を天井仕上材２’との係合から解放するには意図的に前記部分荷重を越えた大きな力を作用させることが必要となる。したがって、係止機構７が不用意に解除状態となることはない。また、閉位置における点検口パネル５の長辺立ち上げ部分は、天井仕上材２’に設置された浮き上がり防止手段と当接し、当該点検口パネルが隣接する天井パネルと面一になる閉位置よりもさらに上方に回転しようとしても、また天井面に風圧がかかったり、地震による上下動が加わって浮き上がろうとしても、それらは確実に抑止される。
【００３５】
係止機構７を係止解除状態にして点検口パネル５を開くには、パネルロック部材３６の拡大端部３９を下から見て反時計方向（１３図（ａ）の右側の係止機構では時計方向）に約９０度回転させ、舌状部材３７を天井仕上材２’の上面との係合から外す。このとき舌状部材３７は、回転するにつれて下方変形部４４が天井仕上材２の縁を乗り越えてその変形分だけ上向きに弾性変形し、さらに回転が進められ、やがて天井仕上材２に載置されている状態から解放される。両側の係止機構７とも係止解除状態にすることにより、点検口パネル５は、軸部材９の内端１１により形成される回転軸線の回りを重力によって回転し、軸部材９に支持されるようにして下方に垂下する。
【００３６】
本発明の２つの実施例について個別に説明してきたが、各実施例の構成を組み合わせることも可能である。例えば、軸部材９の外端１２を天井仕上材２に固定するのに図７の手法を採用し、係止機構７には図１６ないし図１８の構成を採用するようにしてもよい。また、軸部材９の外端１２を図１５の手法で天井仕上材２’に固定し、係止機構７に図１０および図１１の構成を採用してもよい。さらに、公知の係止機構を採用することもできる。
【００３７】
【発明の効果】
本発明の点検口パネル構造によれば、天井パネルと同一の外形寸法を有する点検口パネルの回転支持および閉位置における係止の双方が、隣接天井パネルに依存することなく、天井仕上材に対して行われるので、天井パネルが配置可能な場所であれば所望の任意の位置に設置することができる。
【００３８】
また、設置位置を変更したければ、変更希望位置の天井パネルと本発明による点検口パネル構造とを交換すればよい。
【００３９】
本発明による点検口パネル構造を２つ用意し、点検口パネルが観音開きとなるように並設させれば、開口部を２倍の大きさにすることができる。
【００４０】
点検口パネルを開くには、係止機構の可動部材を操作して係止部との係合を解除することにより、点検口パネルを下方に回転させればよい。軸受部材とその孔内に挿入される軸部材との間の回転可能な結合は確実で安心感があり、安全性が高い。
【図面の簡単な説明】
【図１】（ａ）は本発明による点検口パネル構造の一実施例を天井に設置した状態を天井裏側から見た平面図。（ｂ）は図１（ａ）におけるＡ−Ａ断面図。
【図２】図１（ａ）におけるＢ−Ｂ断面図。
【図３】本発明の一実施例における点検口パネルおよび回転機構を示す斜示図。
【図４】本発明の一実施例における回転機構の軸部材の斜示図。
【図５】本発明の一実施例における回転機構の軸部材と軸受部材とを組み立てる状況を示す斜示図。
【図６】本発明の一実施例における点検口パネルの隅部形状と回転機構の軸部材との関係を示す断片斜示図。
【図７】（ａ）は、本発明の一実施例における回転機構の軸部材の天井仕上材側端部の形態を示す断片斜示図。（ｂ）は該端部を天井仕上材に取り付けた状態を示す断片斜示図。
【図８】図７の実施例において軸部材の端部を天井仕上材に取り付ける際に用いる固定ボルトの使用方法を示すための断片斜示図。
【図９】本発明の一実施例における点検口パネル構造を天井に設置する際に回転機構の軸部材の端部を天井仕上材に取り付ける手順を示す断面図であり、（ａ）は取り付け前の状態、（ｂ）は図７に示す手法で取り付けた後の状態を示す。
【図１０】本発明の一実施例における係止機構の係止部と可動部材とを係止解除状態で示す断片斜示図。
【図１１】図１０における係止機構の係止部と可動部材とを係止状態で示す断片断面図。
【図１２】本発明の一実施例における点検口パネルが回転する際の回転機構側の動きを示す断片断面図。
【図１３】（ａ）は本発明による点検口パネル構造の別の実施例を天井に設置した状態を天井裏側から見た平面図。（ｂ）は図１（ａ）におけるＡ−Ａ断面図。
【図１４】図１３（ａ）におけるＢ−Ｂ断面図。
【図１５】（ａ）は、図１３の実施例における回転機構の軸部材の天井仕上材側端部の形態を示す断片斜示図。（ｂ）は該端部を天井仕上材に取り付けた状態を示す断片斜示図。
【図１６】図１３の実施例における係止機構の係止部と可動部材とを係止状態で示す断片斜示図。
【図１７】図１６に示す係止機構の可動部材のパネルロックと係止部受けとを示す図であり、係止部受けは上部を省略してある。（ａ）は断片正面図、（ｂ）は断片側面図。
【図１８】図１６および図１７に示す係止機構の可動部材のパネルロックと係止部受けとを分解して示す斜示図。
【符号の説明】
１  天井パネル、２  天井仕上材、２’  天井仕上材、３  吊りボルト、４  天井下地材、５  点検口パネル、６  回転機構、７  係止機構、８  軸受部材、９軸部材、１０  軸受部材の孔、１１  軸部材の内端、１２  軸部材の外端、１３  軸部材の内端のネジ穴、１４  止めネジ、１５  点検口パネルの立ち上げ部分、１６  軸端部支持部材、１６’  軸端部支持部材、１７  天井仕上材上面の溝、１８  ボルト、１９  ナット、２０  突起、２１  天井仕上材上面の溝の上方狭幅開口、２２  パネル支持部材、２３  ナット、２４  設備プレート、２５ボルト、２６  止め輪、２７  ボルトの頭部、２８  開口、２９  ボルト、３０  ナット、３１  隅縁、３２  天井パネルの立ち上げ部分、３３  孔、３４  ビス、３５  設備プレート、３６  パネルロック部材、３７  舌状部材、３８  ナット、３９  パネルロック部材の拡大端部、４０  不完全ネジ部、４１  パネルロック部材の上端部、４２  スロット、４３  ストッパ、４４  下方変形部。
【図１】
0003964044.tif 000002
【図２】
0003964044.tif 000003
【図３】
0003964044.tif 000004
【図４】
0003964044.tif 000005
【図５】
0003964044.tif 000006
【図６】
0003964044.tif 000007
【図７】
0003964044.tif 000008
【図８】
0003964044.tif 000009
【図９】
0003964044.tif 000010
【図１０】
0003964044.tif 000011
【図１１】
0003964044.tif 000012
【図１２】
0003964044.tif 000013
【図１３】
0003964044.tif 000014
【図１４】
0003964044.tif 000015
【図１５】
0003964044.tif 000016
【図１６】
0003964044.tif 000017
【図１７】
0003964044.tif 000018
【図１８】
0003964044.tif 000019